(57)【要約】【課題】複数のアンテナを小さなスペースに収納可能なようにする。【解決手段】先端にアンテナ素子２１が接続された同軸ケーブル２２を複数用意し、アンテナ素子２１の位置がずれるようにして、同軸ケーブル２２を被覆用素材２３で束ねることにより、複数のアンテナを備えたケーブル状のアンテナ装置であるアンテナケーブルを構成して、無線通信を実行する装置に実装し、無線通信処理中にアンテナケーブルが引き出されて使用されることができるようにし、無線通信処理が実行されていない状態においては、アンテナケーブルを収納することができるようにする。被覆用素材２３には、アンテナケーブルがフレキシブルに形状を変更することが可能となるように、例えば、ゴムなどの柔軟性の高い素材が用いられると好適である。本発明は、無線ＬＡＮユニットなどの無線通信装置に適用できる。【選択図】図２
2007158596.tif 000002
【特許請求の範囲】
【請求項１】
複数のアンテナ素子を含むアンテナ装置であって、
複数の前記アンテナ素子と、
前記アンテナ素子のそれぞれと接続された前記アンテナ素子と同数のケーブルと、
少なくとも前記ケーブルの一部を結束する結束部と
を備え、
複数の前記アンテナ素子および複数の前記ケーブルがフレキシブルに形状を変更することが可能なケーブル状となるように、前記結束部により少なくとも前記ケーブルの一部が結束され、
複数の前記アンテナ素子は、前記アンテナ素子により送受信される信号の空間的な相関が小さくなる位置に配置される
アンテナ装置。
【請求項２】
前記結束部は、力を加えて折り曲げて変形させたとき、変形したままの状態になるシート状の素材により構成され、前記アンテナ素子と前記ケーブルとの全体を被覆する
請求項１に記載のアンテナ装置。
【請求項３】
複数の前記アンテナ素子は、送受信される前記信号の波長の０．５倍近傍の間隔をあけて配置される
請求項１に記載のアンテナ装置。
【請求項４】
複数の前記アンテナ素子は、送受信される前記信号の波長の０．２５倍以上０．５倍以下の間隔をあけて配置される
請求項１に記載のアンテナ装置。
【請求項５】
複数の前記アンテナ素子は、送受信される前記信号の波長の０．１倍以上の間隔をあけて配置される
請求項１に記載のアンテナ装置。
【請求項６】
複数の前記アンテナ素子は、素子間の距離が等間隔とならないように配置される
請求項１に記載のアンテナ装置。
【請求項７】
前記アンテナ素子は、２つのダイポールアンテナから構成されており、
２つの前記ダイポールアンテナは、前記ケーブルに対して水平方向に並ぶように接続される
請求項１に記載のアンテナ装置。
【請求項８】
前記アンテナ素子は、２つのダイポールアンテナから構成されており、
２つの前記ダイポールアンテナは、前記ケーブルを挟んで対向して並ぶように接続される
請求項１に記載のアンテナ装置。
【請求項９】
前記結束部により結束された、複数の前記アンテナ素子および複数の前記ケーブルを収納する収納部をさらに備える
請求項１に記載のアンテナ装置。
【請求項１０】
前記収納部は、前記結束部により結束された、複数の前記アンテナ素子および複数の前記ケーブルを巻き取って収納する
請求項９に記載のアンテナ装置。
【請求項１１】
前記結束部により結束された、複数の前記アンテナ素子および複数の前記ケーブルの先端部分に備えられ、複数の前記アンテナ素子および複数の前記ケーブルが前記収納部に巻き込まれて収納される場合に、前記収納部の内部に入り込まない形状に構成されたストッパーをさらに備える
請求項１０に記載のアンテナ装置。
【請求項１２】
前記収納部は、所定の長さに折り曲げて畳まれた、前記結束部により結束された複数の前記アンテナ素子および複数の前記ケーブルを収納する
請求項９に記載のアンテナ装置。
【請求項１３】
複数のアンテナ素子を含み、フレキシブルに形状を変更することが可能なケーブル状の形状のアンテナユニットを用いて情報を授受することが可能な通信装置において、
前記アンテナユニットを巻き取って収納する収納手段と、
前記収納手段の回転数を取得する回転数取得手段と、
前記回転数取得手段により取得された前記収納手段の回転数を基に、複数の前記アンテナ素子のうち、前記収納手段から引き出されている前記アンテナ素子の数、または、複数の前記アンテナ素子のうち、通信に使用する前記アンテナ素子がいずれの前記アンテナ素子であるかのうちの、少なくともいずれか一方を検出する検出手段と、
前記検出手段により検出された、前記収納手段から引き出されている前記アンテナ素子の数、または、通信に使用する前記アンテナ素子に関する情報のうちの少なくともいずれか一方を含む情報を、他の装置に送信する送信手段と
を備える通信装置。
【請求項１４】
前記検出手段は、前記収納手段の回転数と、前記前記収納手段から引き出された状態となる前記アンテナ素子の数との関係を示す関係式に基づいて、前記収納手段から引き出された状態となっている前記アンテナ素子の数を検出する
請求項１３に記載の通信装置。
【請求項１５】
前記収納手段の回転数と、前記前記収納手段から引き出された状態となる前記アンテナ素子の数との関係を示すテーブル情報を記録する記録手段をさらに備え、
前記検出手段は、前記テーブル情報を参照し、前記収納手段から引き出された状態となっている前記アンテナ素子の数を検出する
請求項１３に記載の通信装置。
【請求項１６】
複数のアンテナ素子を含み、フレキシブルに形状を変更することが可能なケーブル状の形状のアンテナユニットと、
前記アンテナユニットを巻き取って収納する収納部と
を備える通信装置を制御するコンピュータが実行するプログラムであって、
前記収納部の回転数を取得し、
取得された前記収納部の回転数を基に、複数の前記アンテナ素子のうち、前記収納部から引き出されている前記アンテナ素子の数、または、複数の前記アンテナ素子のうち、通信に使用する前記アンテナ素子がいずれの前記アンテナ素子であるかのうちの、少なくともいずれか一方を検出し、
検出された前記収納手段から引き出されている前記アンテナ素子の数、または、通信に使用する前記アンテナ素子に関する情報のうちの少なくともいずれか一方を含む情報の、他の装置への送信を制御する
ステップを含む処理をコンピュータに実行させるプログラム。
【発明の詳細な説明】
【技術分野】
【０００１】
本発明は、アンテナ装置、および、通信装置、並びに、プログラムに関し、特に、１つの装置に複数のアンテナが設けられる場合に用いて好適な、アンテナ装置、および、通信装置、並びに、プログラムに関する。
【背景技術】
【０００２】
従来、例えば、所定の長さのアンテナを巻き取って移動端末機器の中に収納し、移動端末機器が使用状態となった際に、この移動端末機器に設けられているアンテナを所定長さに伸長させることができる技術として、例えば、特許文献１乃至３に記載の技術が提案されている。
【０００３】
【特許文献１】特開２００１−２４４０９号公報
【０００４】
【特許文献２】特開平１１−１７７３２６号公報
【０００５】
【特許文献３】特開平１０−５６３９７号公報
【０００６】
また、携帯用電話機において、アンテナを自動的に巻き取るために、アンテナ巻取りリールとアンテナ巻取り操作子を備え、アンテナ先端部にマイクロホンを備えることにより、装置を小型化しても送話音声の劣化が生じにくいようになされている技術がある（例えば、特許文献４）。
【０００７】
【特許文献４】特開平１１-２６１６７９号公報
【発明の開示】
【発明が解決しようとする課題】
【０００８】
しかしながら、特許文献１乃至４に示される技術は、すべて、アンテナ自体を装置内に巻き取ることにより、アンテナが長くても装置を小型化することができるようにしたものである。すなわち、これらの技術においては、アンテナ自体をフレキシブルに作成するとともに、アンテナごとに、巻取り用の収納部を設けることが必須となっている。このため、近年提案されている複数のアンテナを用いる通信態様を実現する通信装置に対して、上述した特許文献１乃至４に示される技術を適用した場合、アンテナ数の増加に伴って、装置内に設けるべき収納部の数も増加してしまい、装置の大型化と、形態性の低下をもたらしてしまう。
【０００９】
本発明はこのような状況に鑑みてなされたものであり、１つの装置に複数のアンテナ、または、少なくとも１つのアンテナを含むアンテナ素子が設けられる場合においても、装置を小型化することができるものである。
【課題を解決するための手段】
【００１０】
本発明の第１の側面のアンテナ装置は、複数のアンテナ素子を含むアンテナ装置であって、複数の前記アンテナ素子と、前記アンテナ素子のそれぞれと接続された前記アンテナ素子と同数のケーブルと、少なくとも前記ケーブルの一部を結束する結束部とを備え、複数の前記アンテナ素子および複数の前記ケーブルがフレキシブルに形状を変更することが可能なケーブル状となるように、前記結束部により少なくとも前記ケーブルの一部が結束され、複数の前記アンテナ素子は、前記アンテナ素子により送受信される信号の空間的な相関が小さくなる位置に配置される。
【００１１】
前記結束部は、力を加えて折り曲げて変形させたとき、変形したままの状態になるシート状の素材により構成されるものとすることができ、前記アンテナ素子と前記ケーブルとの全体を被覆させるようにすることができる。
【００１２】
複数の前記アンテナ素子は、送受信される前記信号の波長の０．５倍近傍の間隔をあけて配置されるものとすることができる。
【００１３】
複数の前記アンテナ素子は、送受信される前記信号の波長の０．２５倍以上０．５倍以下の間隔をあけて配置されるものとすることができる。
【００１４】
複数の前記アンテナ素子は、送受信される前記信号の波長の０．１倍以上の間隔をあけて配置されるものとすることができる。
【００１５】
複数の前記アンテナ素子は、素子間の距離が等間隔とならないように配置されるものとすることができる。
【００１６】
前記アンテナ素子は、２つのダイポールアンテナから構成されているものとすることができ、２つの前記ダイポールアンテナは、前記ケーブルに対して水平方向に並ぶように接続されるものとすることができる。
【００１７】
前記アンテナ素子は、２つのダイポールアンテナから構成されているものとすることができ、２つの前記ダイポールアンテナは、前記ケーブルを挟んで対向して並ぶように接続されるものとすることができる。
【００１８】
前記結束部により結束された、複数の前記アンテナ素子および複数の前記ケーブルを収納する収納部をさらに備えさせるようにすることができる。
【００１９】
前記収納部には、前記結束部により結束された、複数の前記アンテナ素子および複数の前記ケーブルを巻き取って収納させるようにすることができる。
【００２０】
前記結束部により結束された、複数の前記アンテナ素子および複数の前記ケーブルの先端部分に備えられ、複数の前記アンテナ素子および複数の前記ケーブルが前記収納部に巻き込まれて収納される場合に、前記収納部の内部に入り込まない形状に構成されたストッパーをさらに備えさせるようにすることができる。
【００２１】
前記収納部には、所定の長さに折り曲げて畳まれた、前記結束部により結束された複数の前記アンテナ素子および複数の前記ケーブルを収納させるようにすることができる。
【００２２】
本発明の第１の側面においては、複数のアンテナ素子と、アンテナ素子のそれぞれと接続されたアンテナ素子と同数のケーブルとが、フレキシブルに形状を変更することが可能なケーブル状となるように、少なくともケーブルの一部が、結束部により結束され、複数のアンテナ素子は、アンテナ素子により送受信される信号の空間的な相関が小さくなる位置に配置される。
【００２３】
本発明の第２の側面の通信装置は、複数のアンテナ素子を含み、フレキシブルに形状を変更することが可能なケーブル状の形状のアンテナユニットを用いて情報を授受することが可能な通信装置であって、前記アンテナユニットを巻き取って収納する収納手段と、前記収納手段の回転数を取得する回転数取得手段と、前記回転数取得手段により取得された前記収納手段の回転数を基に、複数の前記アンテナ素子のうち、前記収納手段から引き出されている前記アンテナ素子の数、または、複数の前記アンテナ素子のうち、通信に使用する前記アンテナ素子がいずれの前記アンテナ素子であるかのうちの、少なくともいずれか一方を検出する検出手段と、前記検出手段により検出された、前記収納手段から引き出されている前記アンテナ素子の数、または、通信に使用する前記アンテナ素子に関する情報のうちの少なくともいずれか一方を含む情報を、他の装置に送信する送信手段とを備える。
【００２４】
前記検出手段には、前記収納手段の回転数と、前記前記収納手段から引き出された状態となる前記アンテナ素子の数との関係を示す関係式に基づいて、前記収納手段から引き出された状態となっている前記アンテナ素子の数を検出させるようにすることができる。
【００２５】
前記収納手段の回転数と、前記前記収納手段から引き出された状態となる前記アンテナ素子の数との関係を示すテーブル情報を記録する記録手段をさらに備えさせるようにすることができ、前記検出手段には、前記テーブル情報を参照し、前記収納手段から引き出された状態となっている前記アンテナ素子の数を検出させるようにすることができる。
【００２６】
本発明の第２の側面のプログラムは、複数のアンテナ素子を含み、フレキシブルに形状を変更することが可能なケーブル状の形状のアンテナユニットと、前記アンテナユニットを巻き取って収納する収納部とを備える通信装置を制御するコンピュータが実行するプログラムであって、前記収納部の回転数を取得し、取得された前記収納部の回転数を基に、複数の前記アンテナ素子のうち、前記収納部から引き出されている前記アンテナ素子の数、または、複数の前記アンテナ素子のうち、通信に使用する前記アンテナ素子がいずれの前記アンテナ素子であるかのうちの、少なくともいずれか一方を検出し、検出された前記収納手段から引き出されている前記アンテナ素子の数、または、通信に使用する前記アンテナ素子に関する情報のうちの少なくともいずれか一方を含む情報の、他の装置への送信を制御するステップを含む処理をコンピュータに実行させる。
【００２７】
本発明の第２の側面においては、複数のアンテナ素子を含み、フレキシブルに形状を変更することが可能なケーブル状の形状のアンテナユニットが収納手段（収納部）により巻き取られて収納され、収納手段（収納部）の回転数が取得され、収納手段（収納部）の回転数を基に、複数のアンテナ素子のうち、収納手段（収納部）から引き出されているアンテナ素子の数、または、複数のアンテナ素子のうち、通信に使用するアンテナ素子がいずれのアンテナ素子であるかのうちの、少なくともいずれか一方が検出され、検出された収納手段（収納部）から引き出されているアンテナ素子の数、または、通信に使用するアンテナ素子に関する情報のうちの少なくともいずれか一方を含む情報が、他の装置に送信される。
【００２８】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００２９】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。本発明は、このような通信における無線通信の部分において適用することが可能である。
【発明の効果】
【００３０】
以上のように、本発明の第１の側面によれば、複数のアンテナ素子を含むアンテナ装置を提供することができ、特に、複数のアンテナ素子と、アンテナ素子のそれぞれと接続されたアンテナ素子と同数のケーブルとが、フレキシブルに形状を変更することが可能なケーブル状となるように結束され、複数のアンテナ素子は、アンテナ素子により送受信される信号の空間的な相関が小さくなる位置に配置されるので、多くのアンテナ素子をコンパクトに収納することができる。
【００３１】
また、本発明の第２の側面によれば、通信に利用されるアンテナ素子に関する情報を他の装置に送信することができ、特に、アンテナユニットを巻き取って収納する収納手段の回転数に基づいて、通信に利用されるアンテナ素子を決定するようにしたので、使用されるアンテナ素子が一定でない場合であっても、通信に利用されるアンテナ素子に関する情報を他の装置に送信することができる。
【発明を実施するための最良の形態】
【００３２】
以下、図を参照して、本発明の１つの実施の形態について例示する。
【００３３】
近年、802.11a規格に代表される無線LANが広く用いられている。802.11aの規格では、最大で、５４Mｂｐｓの通信速度を達成する変調方式をサポートしている。しかし、現在、さらなる高ビットレートの通信速度を実現できる無線規格が求められている。
【００３４】
そこで、近年、MIMO(Multiple Input Multiple Output) 、SIMO(Single Input Multiple Output)、MISO(Multiple Input Single Output)等、複数アンテナを用いた通信技術が注目されるに至っている。例えば、MIMOの場合、送信器側と受信器側の双方において、複数のアンテナ、または、アンテナ素子（少なくとも１つのアンテナを備えて構成されている素子）を備えて、複数の論理的に独立した伝送路を実現することにより、通信速度の向上が達成されている。
【００３５】
従来の無線通信においては、同一周波数に1つのチャネルしか信号を伝送できないのに対して、MIMOでは、例えば、図１に示されるように、送信機１および受信機２がそれぞれ複数のアンテナ１１-１乃至１１-ｎおよびアンテナ１２-１乃至１２-ｎ（すなわち、アンテナアレイ）を使うことで、複数チャネル（MIMOチャネル）による伝送を行うことができるようになされているため、周波数利用効率、通信品質、通信速度が向上する。この場合、電波は複数のチャネルの信号が入り混じったものになる。しかしながら、信号自体に時空間符号化処理を施すことで、受信側の装置における復号化(ここでは複数チャネルの入り混じった信号を個々のチャネル別の信号に分解することを指す)を行うことが可能になる。
【００３６】
しかしながら、これらの通信方式（すなわち、ＭＩＭＯなど）においては、その技術の性質上、無線通信機能を有する１つの装置内に多数のアンテナまたはアンテナ素子を備えることが必須となり、例えば、次のような事態を招来する。
【００３７】
まず無線通信機能を有する１つの端末で、複数のアンテナ素子を所定の間隔に配置して、信号処理が行われる場合について考える。アンテナ素子間の距離が、無線通信で用いられる送信信号の波長と比較して非常に短い場合、異なるアンテナ素子で受信する信号同士が干渉してしまう。異なるアンテナ素子で受信される信号をそれぞれ正しく受信するためには、アンテナ素子間の距離は、少なくとも１／１０波長よりも長い必要があり、１／４波長よりも長いことが好ましい。また、一般的には、アンテナ素子間の距離が半波長程度離れると、異なるアンテナ素子で受信する信号が無相関になる。また、アンテナ素子間の距離が半波長よりも長くなされても、それ以上信号の正確さが増すわけではない。
【００３８】
１つの装置におけるアンテナ素子の数が、例えば、１０本、１００本と増大した場合、ノートパソコンやPDA端末等の小型の端末や、無線通信処理を行うために他の装置に装着される通信モジュール（例えば、通信用のＰＣカードなど）に、これらの数多くのアンテナ素子の設置場所を確保するのは容易なことではない。アンテナ素子自体は、小型のものがあるが、上述したように、その設置の間隔を広くとらないと、各アンテナ素子で受信する信号が無相関とならなくなり、その場合には、MIMOとしての性能が発揮できなくなる。
【００３９】
すなわち、１つの装置に設けられるアンテナ素子の数が多く、さらにそのアンテナ素子間を、例えば、半波長程度離すとすると、アンテナ素子の設置には、かなりのスペースを必要とすることになる。例えば、5Hzの周波数帯域で無線通信を行う装置を考えると、その半波長は、約３cmなので、１０本程度のアンテナ素子を一列に並べて配置しようとすると、幅約３０ｃｍの領域が必要となる。
【００４０】
複数のアンテナ素子を備える装置が小型の装置である場合、上述したような、幅約３０ｃｍの領域を、アンテナ素子を設置するために設けるのは困難である。そこで、本発明においては、図２に示されるように、先端にアンテナ素子２１が接続された同軸ケーブル２２を複数用意し、アンテナ素子２１の位置がずれるようにして、同軸ケーブル２２を被覆用素材２３で束ねることにより、複数のアンテナ素子を備えたケーブル状のアンテナ装置（以下、アンテナケーブルと称する）を構成して、無線通信を実行する装置に実装し、無線通信処理中にアンテナケーブルが引き出されて使用されることができるようにし、無線通信処理が実行されていない状態においては、アンテナケーブルを小さなスペースに収納することができるようにする。
【００４１】
被覆用素材２３には、アンテナケーブルがフレキシブルに形状を変更することが可能となるように、例えば、ゴムなどの柔軟性の高い（力を加えて折り曲げるなどして、変形させたとき、変形したままの状態になる程度の柔軟性の高さを有する）素材が用いられると好適である。また、被覆用素材２３は、アンテナ素子２１ごと同軸ケーブル２２を被覆するようにしても、同軸ケーブル２２のみを被覆する（アンテナ素子２１は被覆されない）ようにしてもよい。また、被覆用素材２３は、例えば、テープ形状などであって、同軸ケーブルの必要な部分のみを連続的または非連続的に結束するようにしてもよい。これに対して、被覆用素材２３を、図２に示されるようにシート状とし、アンテナ素子２１ごと同軸ケーブル２２を被覆するようにすると、アンテナケーブルの組立工程が簡単になるので好適である。なお、この被覆用素材２３は、特許請求の範囲における結束部の一例となりうるものである。
【００４２】
また、特に、同軸ケーブルの必要な部分のみを非連続的に結束するようになされている場合などは、アンテナケーブルがフレキシブルに形状を変更することが可能であれば、結束のための被覆用素材は、柔軟性の高い素材でなくてもよい。
【００４３】
また、異なるアンテナ素子２１におけるアンテナ間の距離（図中ｘ１乃至ｘ４として示されている距離）は、少なくとも１／１０波長よりも長い必要があり、１／４波長よりも長いことが好ましい。また、一般的には、アンテナ間の距離が半波長程度離れると、異なるアンテナ素子で受信する信号が無相関になり、品質のよい通信が可能となるが、アンテナ間の距離が半波長と比較して大幅に長くなされても、それ以上通信の品質が向上するものではないので、異なるアンテナ素子２１におけるアンテナ間の距離は、それぞれ１／４波長以上で半波長程度であると好適であり、半波長またはそれに近い値であると最も好適である。
【００４４】
各アンテナ素子２１は、例えば、ダイポールアンテナを対に使用する平衡型のアンテナを使用するものとする。２つのダイポールアンテナの配置は、例えば、図３に示されるように、同軸ケーブル２２に対して垂直に（２つのダイポールアンテナが同軸ケーブル２２を挟んで対向するように）並んでいるものであってもよいし、図４に示されるように、同軸ケーブル２２に対して平行に並んでいるものであってもよいが、アンテナ素子２１に含まれるダイポールアンテナと同軸ケーブルとができるだけ離れないように構成されると好適である。
【００４５】
図５を参照して、上述したアンテナケーブルの無線LANユニットへの実装例について説明する。
【００４６】
パーソナルコンピュータ５１に装着された無線LANユニット５２には、図２を用いて説明したように、複数のアンテナ素子２１と同軸ケーブル２２が被覆用素材２３などにより結束されてフレキシブルに形状を変更することが可能なように構成されたアンテナケーブル６１が接続され、アンテナケーブル６１は、アンテナケーブル巻取り部６２により巻取り可能なようにされている。
【００４７】
無線LANユニット５２は、パーソナルコンピュータ５１に対して着脱可能なように構成されていても（すなわち、いわゆる無線LANカードとして構成されていても）、パーソナルコンピュータ５１に対して着脱することができないように構成されていてもよい。また、特に、無線LANユニット５２が、パーソナルコンピュータ５１に対して着脱することができないように構成されている場合、無線LANユニット５２は、パーソナルコンピュータ５１の筐体内部に配置され、アンテナケーブル巻取り部６２により巻取り可能なようになされているアンテナケーブル６１のみ、または、アンテナケーブル巻取り部６２およびアンテナケーブル６１が、パーソナルコンピュータ５１の筐体外部に配置されて、ユーザから接触可能なように配置されていてもよい。また、アンテナケーブル巻取り部６２およびアンテナケーブル６１を備えた無線LANユニット５２自体を、パーソナルコンピュータ５１の筐体内部に収納することができるようにしてもよい。
【００４８】
アンテナケーブル巻取り部６２は、図６に示されるように、無線LANユニット５２上面が水平面になるように配置されてもよいし、図７に示されるように、無線LANユニット５２の他の部分からアンテナケーブル巻取り部６２の部分が飛び出しているように配置されていてもよい。また、図７に示されているようにアンテナケーブル巻取り部６２が配置され、アンテナケーブル巻取り部６２およびアンテナケーブル６１を備えた無線LANユニット５２自体が、パーソナルコンピュータ５１の筐体内部に収納することができるようになされている場合、パーソナルコンピュータ５１の内部には、アンテナケーブル巻取り部６２を収納するための空間が用意される。
【００４９】
また、アンテナケーブル巻取り部６２に、例えば、ポテンションメータなどを取り付けておくことにより、アンテナケーブル巻取り部６２の回転角度を検出することができるようにすると好適である。
【００５０】
なお、アンテナ素子２１を含むアンテナケーブル６１の径（アンテナ素子２１の部分を含む）の太さは任意であり、アンテナケーブル巻取り部６２においてアンテナケーブル６１の全体を巻取ることができればよい。ただし、無線LANユニット５２をPCMCIA（Personal Computer Memory Card International Association）規格に合致したＰＣカードとして作成し、このＰＣカード内にアンテナケーブル巻取り部６２をインセットさせる場合、アンテナケーブル巻取り部６２をインセットしたＰＣカードの厚さが、各タイプ（TYPE1乃至3）に対応した規格上の厚さ範囲内に収まるように、アンテナケーブル６１の径を調整することが必要となる。
【００５１】
次に、図８は、パーソナルコンピュータ５１の構成を示すブロック図である。
【００５２】
CPU（Central Processing Unit）１０１は、ROM(Read Only Memory)１０２に記憶されているプログラム、または、記憶部１０８からRAM(Random Access Memory)１０３にロードされたプログラムに従って各種の処理を実行する。RAM１０３にはまた、CPU１０１が各種の処理を実行する上において必要なデータなどが適宜記憶される。
【００５３】
CPU１０１、ROM１０２、およびRAM１０３は、内部バス１０４を介して相互に接続されている。この内部バス１０４にはまた、入出力インターフェース１０５も接続されている。
【００５４】
入出力インターフェース１０５には、キーボード、マウスなどよりなる入力部１０６、CRT，LCDなどよりなるディスプレイ、スピーカなどよりなる出力部１０７、ハードディスクなどより構成される記憶部１０８が接続されている。
【００５５】
また、入出力インターフェース１０５には、上述した無線LANユニット５２が接続されており、無線LANユニット５２は、通信部１２１およびアンテナモジュール１２２から構成されている。無線LANユニット５２の詳細な構成については後述する。
【００５６】
入出力インターフェース１０５には、さらに、必要に応じてドライブ１０９が接続され、磁気ディスク、光ディスク、光磁気ディスク、あるいは半導体メモリなどによりなるリムーバブルメディア１３１が適宜装着され、それから読み出されたコンピュータプログラムが、必要に応じて記憶部１０８にインストールされる。
【００５７】
図９は、無線LANユニット５２のさらに詳細な構成を説明するためのブロック図である。
【００５８】
無線LANユニット５２の通信部１２１は、信号処理部１５１および巻取り回転数検出部１５２を含んで構成されている。
【００５９】
信号処理部１５１は、アンテナケーブル６１に備えられているアンテナ素子２１の数と同じだけの数（ここでは、ｍ個）のD/AおよびA/D変換部１６１-１乃至１６１−ｍを備え、内部バス１０４および入出力インターフェース１０５を介してＣＰＵ１０１から供給された送信用データに、所定の信号処理を施して、D/A変換し、アンテナモジュール１２２に供給したり、アンテナモジュール１２２から供給された受信データをA/D変換し、所定の信号処理を施して、入出力インターフェース１０５および内部バス１０４を介して、ＣＰＵ１０１に供給する。
【００６０】
巻取り回転数検出部１５２は、アンテナモジュール１２２のアンテナケーブル巻取り部６２から供給された信号を基に、アンテナケーブル巻取り部６２の回転数を検出し、アンテナケーブル６１に含まれているアンテナ素子２１のうち、アンテナケーブル巻取り部６２の外部に引き出されたアンテナ素子２１の数を求め、入出力インターフェース１０５および内部バス１０４を介して、ＣＰＵ１０１に供給する。
【００６１】
また、ＣＰＵ１０１が、アンテナケーブル巻取り部６２の回転数に基づいて、アンテナケーブル６１に含まれているアンテナ素子２１のうち、アンテナケーブル巻取り部６２の外部に引き出されているアンテナ素子２１の数を求めることができるようになされている場合、巻取り回転数検出部１５２は、アンテナモジュール１２２のアンテナケーブル巻取り部６２から供給された信号を基に、アンテナケーブル巻取り部６２の回転数を検出し、入出力インターフェース１０５および内部バス１０４を介して、ＣＰＵ１０１に供給するようにしてもよい。
【００６２】
例えば、巻取り回転数検出部１５２またはＣＰＵ１０１は、自分自身または他の記憶手段（例えば、ＲＯＭ１０２またはＲＡＭ１０３など）に、アンテナケーブル巻取り部６２の回転数とアンテナケーブル巻取り部６２の外部に引き出された状態のアンテナ素子２１の数の関係を示す関数式またはテーブルを記憶させておき、自分自身または他の記憶手段に記憶されている関数式またはテーブルを参照して、アンテナケーブル巻取り部６２の外部に引き出されているアンテナ素子２１の数を求めることができる。
【００６３】
巻取り回転数検出部１５２が、アンテナケーブル巻取り部６２の外部に引き出されているアンテナ素子２１の数を検出した場合、巻取り回転数検出部１５２は、アンテナケーブル巻取り部６２の外部に引き出されているアンテナ素子２１の数を、入出力インターフェース１０５および内部バス１０４を介して、ＣＰＵ１０１に供給する。
【００６４】
そして、ＣＰＵ１０１は、アンテナケーブル巻取り部６２の外部に引き出されているアンテナ素子２１の数に基づいて、複数のアンテナ素子２１のうち、実際の通信に利用するアンテナ素子２１を決定することができる。
【００６５】
具体的には、ＣＰＵ１０１は、例えば、アンテナケーブル巻取り部６２の外部に引き出されている状態のアンテナ素子２１と同数のアンテナ素子２１を、アンテナケーブル６１の先端部から順に、実際の通信に利用するものとして決定することができる。すなわち、アンテナケーブル巻取り部６２の外部に引き出されている状態のアンテナ素子２１の全てが、実際の通信に利用される。
【００６６】
また、ＣＰＵ１０１は、アンテナケーブル巻取り部６２の外部に引き出されている状態のアンテナ素子２１のうち、実際の通信に利用するアンテナ素子２１を選択的に決定することもできる。
【００６７】
具体的には、ＣＰＵ１０１は、実際の通信に利用するべきアンテナ素子２１の数ｘに対して、アンテナケーブル巻取り部６２の外部に引き出されている状態のアンテナ素子２１の数が多い場合、アンテナケーブル６１において、できるだけ連続して配置されているアンテナ素子２１を利用しないように（例えば、アンテナケーブル６１において１つおきや２つおきに配置されているアンテナ素子２１を優先的に選択するように）して、相互に相関の低いアンテナ素子２１を選択するようにするなど、アンテナケーブル巻取り部６２の外部に引き出されている状態のアンテナ素子２１のうち、ｘ個のアンテナ素子２１を選択的に実際の通信に利用するものとして決定することができる。
【００６８】
これに対して、例えば、実際の通信に利用するべきアンテナ素子２１の数ｘに対して、アンテナケーブル巻取り部６２の外部に引き出されている状態のアンテナ素子２１の数が少ない場合、ＣＰＵ１０１は、アンテナケーブル６１の先端部から順に、実際の通信に利用するアンテナ素子２１を決定するとともに、アンテナケーブル巻取り部６２の内部に存在する（すなわち、ＳＮ比の低い）アンテナ素子２１の数、または、アンテナケーブル巻取り部６２の外部に引き出されている状態のアンテナ素子２１の数を、無線通信の相手となる装置に通知する。無線通信の相手となる装置は、通知された情報に基づいて、必要に応じて、送受信信号の増幅率を制御することにより、良好な通信を実現することが可能となる。
【００６９】
このように、アンテナケーブル巻取り部６２の外部に引き出されている状態のアンテナ素子２１の数を基に実際の通信に利用するアンテナ素子２１を決定することにより、アンテナケーブル巻取り部６２の内部に存在する（すなわち、ＳＮ比の低い）アンテナ素子２１よりも、優先的に、アンテナケーブル巻取り部６２の外部に引き出されている状態のアンテナ素子２１を、実際の通信に利用するべきアンテナ素子２１として選択することができる。また、さらに、ＣＰＵ１０１は、実際の通信に利用するべきアンテナ素子２１の数ｘに対して、アンテナケーブル巻取り部６２の外部に引き出されている状態のアンテナ素子２１の数が多い場合などにおいては、できるだけ相互に相関の低いアンテナ素子２１を、実際の通信に利用するべきアンテナ素子２１として選択することが可能となる。
【００７０】
なお、アンテナケーブル巻取り部６２の外部に引き出されているアンテナ素子２１の数に基づいて、複数のアンテナ素子２１のうち、実際の通信に利用するアンテナ素子２１を決定するための具体的な方法は、アプリケーションレベルでの設定に依存するものであり、例示したこれらの方法以外のものであっても、本発明は適用可能であることは言うまでもない。
【００７１】
無線LANユニット５２のアンテナモジュール１２２は、フィルタモジュール１７１、アンテナケーブル６１、および、アンテナケーブル巻取り部６２を含んで構成されている。
【００７２】
フィルタモジュール１７１は、アンテナケーブル６１に備えられているアンテナ素子２１の数と同じだけの数（ここでは、ｍ個）のローパスフィルタ（ＬＰＦ）１８１-１乃至１８１-ｍを備え、送信データおよび受信データのフィルタリング処理を実行し、スイッチ１８２-１乃至１８２-ｍおよびスイッチ１８３-１乃至１８３-ｍを制御して、フィルタリングされた送信データをアンテナケーブル６１の同軸ケーブル２２-１乃至２２-ｍにそれぞれ供給したり、アンテナケーブル６１の同軸ケーブル２２-１乃至２２-ｍのそれぞれから供給された受信データをフィルタリングして、通信部１２１の信号処理部１５１に供給する。
【００７３】
なお、図９においては、アンテナケーブル６１とアンテナケーブル巻取り部６２とを別けて図示しているが、実際には、アンテナケーブル６１は上述したようにアンテナケーブル巻取り部６２に巻き取られて収納可能なようになされている。
【００７４】
すなわち、図１０に示されるように、アンテナケーブル６１がアンテナケーブル巻取り部６２から引き出されることにより、引き出された部分に配置されているアンテナ素子２１は、良好なＳＮ比で使用することが可能な状態となる。そして、アンテナケーブル６１は、図１１に示されるように、アンテナケーブル巻取り部６２に巻き取られて収納される。このようにすることにより、多くの数のアンテナ素子２１を、使用しないときには小さな場所に収納することが可能となり、使用する場合には、必要なアンテナ素子２１の数に応じて、アンテナケーブル６１を引き出して利用することができる。
【００７５】
なお、アンテナケーブル巻取り部６２から引き出されたアンテナケーブル６１は、図示しないボタンが押下された場合に巻き取られたり、引き出されたアンテナケーブル６１をさらに少し引き出すことにより巻き取られるようにしてもよい。
【００７６】
また、アンテナケーブル６１は、アンテナケーブル巻取り部６２により巻き取られるのみならず、例えば、所定の長さに折り曲げて畳むようにして収納されるようにしてもよい。この場合には、無線ＬＡＮユニット５２に、折り曲げられて畳まれたアンテナケーブル６１の束を収納するスペースを設けるようにすると好適である。
【００７７】
また、アンテナケーブル６１がアンテナケーブル巻取り部６２に巻き取られて収納される場合であっても、所定の長さに折り曲げて畳むようにして収納される場合であっても、アンテナケーブル６１が機器に収納される状態に合わせて、アンテナケーブル６１内のアンテナ素子２１間の距離を設定するようにしてもよい。このとき、アンテナケーブル６１内のアンテナ素子２１間の距離は、等間隔とならなくてもよいことは言うまでもない。
【００７８】
例えば、アンテナケーブル６１がアンテナケーブル巻取り部６２に巻き取られて収納される場合、アンテナケーブル巻取り部６２の巻取り径や、アンテナケーブル６１の太さに応じて、図２に示されるアンテナ素子２１間の距離ｘ１、ｘ２、ｘ３、ｘ４・・・を、巻取り時に重ならないように、等間隔にならないように設定すると好適である。また、アンテナケーブル６１が所定の長さに折り曲げて畳まれて収納される場合、折り曲げられて畳まれたアンテナケーブル６１の束を収納するスペースに応じて、図２に示されるアンテナ素子２１間の距離ｘ１、ｘ２、ｘ３、ｘ４・・・を、折り曲げられたアンテナケーブル６１においてアンテナ素子２１ができるだけ重ならないで小さく折り曲げることができるように、等間隔にならないように設定するようにすると好適である。
【００７９】
このようにすることにより、小型の装置であっても、多くのアンテナ素子を搭載することが可能である。また、その装置が使用される状況に応じて、アンテナケーブル６１を適宜広げて（伸ばして）利用することが可能となる。
【００８０】
さらに、図１２に示されるように、アンテナケーブル６１は、例えば柔らかいゴムなどによって結束されることによりフレキシブルに折り曲げ可能なようになされているケーブル２０１の先端に、アンテナケーブル収納部６２の内部に入り込まない形状に構成されたストッパー２０２を、所定の角度範囲で駆動可能な間接部２０３を介して接続するようにしてもよい。ストッパー２０２は、例えば、硬質プラスチック樹脂などの曲がらない（所定以上の硬度を有する）絶縁素材により直線形状に構成したり、アンテナケーブル６１よりも太く、アンテナケーブル収納部６２の入り口で引っかかるような部分を設けることなどにより、アンテナケーブル収納部６２の内部に入り込まない形状に構成される。
【００８１】
アンテナケーブル６１の先端に、ストッパー２０２を設けることにより、図１３に示されるように、アンテナケーブル巻取り部６２には、フレキシブルに折り曲げ可能なようになされているケーブル２０１の部分のみが巻き取られて、間接部２０３およびストッパー２０２の部分は、巻き取られないようにすることができる。これにより、アンテナケーブル巻取り部６２によりアンテナケーブル６１の全体が巻き込まれてしまい、利用時に引き出すことが困難になることを防ぐことができる。
【００８２】
また、所定の角度範囲で駆動可能な間接部２０３によりケーブル２０１とストッパー２０２を接続することにより、図１４に示されるように、ストッパー２０２をアンテナケーブル巻取り部６２に沿わせて折りたたむことができ、アンテナケーブル６１をコンパクトに収納することが可能となる。
【００８３】
また、上述したように、アンテナケーブル６１がアンテナケーブル巻取り部６２により巻き取られて収納されるようになされている場合、アンテナケーブル巻取り部６２に、例えば、ポテンションメータなどを取り付けておくことにより、アンテナケーブル巻取り部６２の回転角度、すなわち、回転数を検出することができるようになされている。
【００８４】
アンテナケーブル巻取り部６２の回転角度、すなわち、回転数を検出することにより、アンテナケーブル６１のうち、アンテナケーブル巻取り部６２の外部に引き出されている状態のアンテナ素子２１の数を検出することができる。また、アンテナケーブル巻取り部６２の外部に引き出されている状態のアンテナ素子２１の数に基づいて、実際の通信に用いられるアンテナ素子２１を決定することができる。パーソナルコンピュータ５１は、無線通信の実行時には、常に、アンテナケーブル巻取り部６２の外部に引き出されている状態のアンテナ素子２１の数を検出し、実際の通信に用いられるアンテナ素子２１を決定して、それぞれ記憶しておき、自分自身と、通信相手とが、それぞれ、何本ずつのアンテナコンフィグレーションであるかを通知しあう場合に、この情報を使用する。
【００８５】
なお、アンテナケーブル巻取り部６２の回転角度や、回転数を検出する方法は、ポテンションメータ以外のいかなる方法であってもかまわない。例えば、アンテナケーブル巻取り部６２が所定角度回転するたびにＯＮされる機械的スイッチを設け、スイッチがＯＮされる回数を計数することにより、アンテナケーブル巻取り部６２の回転角度や、回転数を検出することができるようにしてもよい。
【００８６】
次に、図１５のフローチャートを参照して、アンテナ素子数検出および使用アンテナ決定処理について説明する。
【００８７】
ステップＳ１において、無線ＬＡＮユニット５２の通信部１２１の、巻取り回転数検出部１５２は、アンテナケーブル巻取り部６２の回転が検出されたか否かを判断する。ステップＳ１において、回転が検出されなかったと判断された場合、処理は、後述するステップＳ６に進む。
【００８８】
ステップＳ１において、回転が検出されたと判断された場合、ステップＳ２において、巻取り回転数検出部１５２は、アンテナケーブル巻取り部６２の回転数を検出し、信号処理部１５１、入出力インターフェース１０５、および、内部バス１０４を介して、ＣＰＵ１０１に供給する。具体的には、例えば、アンテナケーブル巻取り部６２には、ポテンションメータ、すなわち、可変抵抗器からなるボリュームが取り付けられており、巻取り回転数検出部１５２は、アンテナケーブル巻取り部６２から供給される回転数検出用信号の電流値を基に、アンテナケーブル巻取り部６２の回転角度、すなわち、回転数を検出することができる。
【００８９】
ステップＳ３において、ＣＰＵ１０１は、アンテナケーブル巻取り部６２の回転数に基づいて、アンテナケーブル巻取り部６２の外部に引き出されているアンテナ素子２１の数を検出する。具体的には、ＣＰＵ１０１は、アンテナケーブル巻取り部６２の回転数とアンテナケーブル巻取り部６２の外部に引き出されているアンテナ素子２１の数との関係を示す関数式を用いて演算処理を行うことにより、もしくは、ＲＯＭ１０２またはＲＡＭ１０３に記憶されている、アンテナケーブル巻取り部６２の回転数とアンテナケーブル巻取り部６２の外部に引き出されているアンテナ素子２１の数のと関係を示すテーブルを参照することにより、アンテナケーブル巻取り部６２の外部に引き出されているアンテナ素子２１の数を求めることができる。
【００９０】
ステップＳ４において、ＣＰＵ１０１は、検出された、アンテナケーブル巻取り部６２の外部に引き出されているアンテナ素子２１の数を基に、実際に通信に利用されるアンテナ素子２１を決定する。
【００９１】
具体的には、ＣＰＵ１０１は、例えば、アンテナケーブル巻取り部６２の外部に引き出されている状態のアンテナ素子２１と同数のアンテナ素子２１を、アンテナケーブル６１の先端部から順に、実際の通信に利用するものとして決定することができる。また、ＣＰＵ１０１は、アンテナケーブル巻取り部６２の外部に引き出されている状態のアンテナ素子２１のうち、実際の通信に利用するアンテナ素子２１を選択的に決定することもできる。さらに、ＣＰＵ１０１は、例えば、実際の通信に利用するべきアンテナ素子２１の数ｘに対して、アンテナケーブル巻取り部６２の外部に引き出されている状態のアンテナ素子２１の数が少ない場合、アンテナケーブル６１の先端部から順に、実際の通信に利用するアンテナ素子２１を決定するようにしてもよい。
【００９２】
なお、アンテナケーブル巻取り部６２の外部に引き出されているアンテナ素子２１の数に基づいて、複数のアンテナ素子２１のうち、実際の通信に利用するアンテナ素子２１を決定するための具体的な方法は、例示した方法以外のものであってもよい。
【００９３】
ステップＳ５において、ＣＰＵ１０１は、アンテナケーブル巻取り部６２の外部に引き出されているアンテナ素子２１の数、および、実際に通信に利用されるアンテナ素子２１がいずれであるかを、ＲＡＭ１０３に供給して記憶させる。
【００９４】
ステップＳ１において、回転が検出されなかったと判断された場合、または、ステップＳ５の処理の終了後、ステップＳ６において、ＣＰＵ１０１は、無線通信相手の装置に対して、例えば、アンテナケーブル巻取り部６２の外部に引き出されているアンテナ素子２１の数、もしくは、通信に用いられるアンテナ素子２１の数、アンテナケーブル巻取り部６２の外部に引き出されていないが通信に用いられているアンテナ素子２１の数、または、通信を開始するにあたって送信が必要な各種情報などの、通信に用いられるアンテナ素子２１に関する情報の通知が必要であるか否かを判断する。ステップＳ６において、アンテナ素子２１に関する情報の通知が必要ではないと判断された場合、処理は、ステップＳ１に戻り、それ以降の処理が繰り返される。
【００９５】
ステップＳ６において、アンテナ素子２１に関する情報の通知が必要であると判断された場合、ステップＳ７において、ＣＰＵ１０１は、ＲＡＭ１０３に記憶されている情報を読み出して、例えば、アンテナケーブル巻取り部６２の外部に引き出されているアンテナ素子２１の数や、通信に用いられるアンテナ素子２１に関する情報を、内部バス１０４および入出力インターフェース１０５を介して無線ＬＡＮユニット５２に供給し、無線通信相手の装置に送出させる。ステップＳ７の処理の終了後、処理は、ステップＳ１に戻り、それ以降の処理が繰り返される。
【００９６】
このような処理により、ＣＰＵ１０１は、現在アンテナケーブル巻取り部６２の外部に引き出されているアンテナ素子２１の数を検出し、これを基に、通信に用いるアンテナ素子２１を決定することができ、必要に応じて、例えば、アンテナケーブル巻取り部６２の外部に引き出されているアンテナ素子２１の数や、通信に用いられるアンテナ素子２１に関する情報を、無線通信相手の装置に送出することができる。これにより、例えば、MIMO技術を用いて他の装置と無線通信を実行する場合に、通信に用いられるアンテナ素子２１の数などを通知することができるので、パーソナルコンピュータ５１においてアンテナケーブル巻取り部６２の外部に引き出されているアンテナ素子２１の数が一定でない場合においても、他の装置との無線通信に支障をきたすことがない。
【００９７】
また、図１５を用いて説明した処理においては、ＣＰＵ１０１がアンテナケーブル巻取り部６２の回転数に基づいて、アンテナケーブル巻取り部６２の外部に引き出されているアンテナ素子２１の数を検出するものとして説明したが、上述したように、巻取り回転数検出部１５２がアンテナケーブル巻取り部６２の外部に引き出されているアンテナ素子２１の数を検出して、ＣＰＵ１０１に検出結果を供給するものとしてもよい。
【００９８】
このように、本発明を適用することにより、小型の装置であっても、多くのアンテナ（または１つ以上のアンテナを含んで構成されるアンテナ素子）を搭載することが可能である。また、その装置が使用される状況に応じて、アンテナケーブルを適宜広げて（伸ばして）利用することが可能となる。
【００９９】
また、このような構成とすることにより、アンテナケーブル巻取り部の外部に引き出されているアンテナまたはアンテナ素子の数は常に一定にはならない。しかしながら、アンテナケーブル巻取り部の外部に引き出されているアンテナまたはアンテナ素子の数を検出することができるので、送信側と受信側が何本ずつのアンテナコンフィグレーションであるかをお互いに認識していなければならない通信方法を用いることが可能となる。
【０１００】
なお、ここでは、MIMO技術を用いて無線通信を行う場合を例として説明したが、本発明は、これに限らず、複数のアンテナまたはアンテナ素子を用いて無線通信を行う場合に適用することが可能であることはいうまでもない。
【０１０１】
また、図１５のフローチャートを参照して説明した処理は、ソフトウェアにより実行することも、このような処理を行うように組み込まれたハードウェアにより実行することもできる。このような処理がソフトウェアを利用して実行される場合、そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１０２】
この記録媒体は、図８に示すように、コンピュータとは別に、ユーザにプログラムを提供するために配布される、プログラムが記録されている磁気ディスク（フレキシブルディスクを含む）、光ディスク（CD-ROM（Compact Disk-Read Only Memory），DVD（Digital Versatile Disk）を含む）、光磁気ディスク（ＭＤ(Mini-Disk)（商標）を含む）、もしくは半導体メモリなどよりなるリムーバブルメディア１３１などにより構成される。
【０１０３】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１０４】
なお、本発明の実施の形態は、上述した実施の形態に限定されるものではなく、本発明の要旨を逸脱しない範囲において種々の変更が可能である。
【図面の簡単な説明】
【０１０５】
【図１】MIMO技術について説明するための図である。
【図２】アンテナケーブルの構成について説明するための図である。
【図３】アンテナ素子内のダイポールアンテナの配置例について説明するための図である。
【図４】アンテナ素子内のダイポールアンテナの配置例について説明するための図である。
【図５】アンテナケーブルの無線LANユニットへの実装例について説明するための図である。
【図６】アンテナケーブル巻取り部の配置例について説明するための図である。
【図７】アンテナケーブル巻取り部の配置例について説明するための図である。
【図８】パーソナルコンピュータの構成を示すブロック図である。
【図９】無線LANユニットの構成を示すブロック図である。
【図１０】アンテナケーブル巻取り部からアンテナケーブルが引き出された場合について説明するための図である。
【図１１】アンテナケーブル巻取り部にアンテナケーブルが巻き取られた場合について説明するための図である。
【図１２】ストッパーと間接部を備えるアンテナケーブルについて説明するための図である。
【図１３】ストッパーと間接部を備えるアンテナケーブルについて説明するための図である。
【図１４】ストッパーと間接部を備えるアンテナケーブルについて説明するための図である。
【図１５】アンテナ素子数検出および使用アンテナ決定処理について説明するためのフローチャートである。
【符号の説明】
【０１０６】
２１  アンテナ素子，  ２２  同軸ケーブル，  ２３  被覆用素材，  ５１  パーソナルコンピュータ，  ５２  無線ＬＡＮユニット，  ６１  アンテナケーブル，  ６２  アンテナケーブル巻取り部，  １０１  CPU，  １０３  RAM，  １２１  通信部，  １２２  アンテナモジュール，  １５１  信号処理部，  １５２  巻取り回転数検出部，  １７１  フィルタモジュール，  ２０１  ケーブル部，  ２０２  ストッパー，  ２０３  間接部
【図１】
2007158596.tif 000003
【図２】
2007158596.tif 000004
【図３】
2007158596.tif 000005
【図４】
2007158596.tif 000006
【図５】
2007158596.tif 000007
【図６】
2007158596.tif 000008
【図７】
2007158596.tif 000009
【図８】
2007158596.tif 000010
【図９】
2007158596.tif 000011
【図１０】
2007158596.tif 000012
【図１１】
2007158596.tif 000013
【図１２】
2007158596.tif 000014
【図１３】
2007158596.tif 000015
【図１４】
2007158596.tif 000016
【図１５】
2007158596.tif 000017